(57)【要約】  【課題】  冷蔵室の前面開口を左右二枚の観音開き式扉にて開閉するものにおいて、冷蔵室の最下部の物品収納区域を区画壁によって左右の貯蔵室に区画し、そこに収納容器を引き出し式に収納した場合、観音開き式扉相互の隙間に対応して区画壁が配置されている場合でも、この収納容器を引き出した時、閉じている扉に衝突する場合がある。本発明は収納容器の引き出し操作が円滑に行なわれる構成とし、区画壁が占める領域の有効利用を図ることができる冷蔵庫を提供するものである。  【解決手段】  貯蔵室の前面開口を左右二枚の観音開き式扉にて開閉する方式とし、貯蔵室の一部を観音開き式扉相互の隙間Ｔに対応して配置した区画壁によって左右の貯蔵室に区画され、この左右の貯蔵室の一方又は双方に引き出し式収納容器が収納され、区画壁の左右幅は観音開き式扉相互の隙間Ｔよりも大きくし、区画壁の前面には冷蔵庫の操作部を配置したこと。【選択図】    図３
2007024405.tif 000002
【特許請求の範囲】
【請求項１】
貯蔵室の前面開口を左右二枚の観音開き式扉にて開閉する方式とし、前記観音開き式扉を開いた状態で、前記貯蔵室の前面開口部に縦仕切り体が存在しない構成でもって前記観音開き式扉の対向部分からの冷気漏洩を防止する冷蔵庫であって、前記貯蔵室の一部が前記観音開き式扉の対向部分に対応配置した区画壁によって左右の貯蔵室に区画され、前記区画壁の前面には冷蔵庫の操作部を配置したことを特徴とする冷蔵庫。
【請求項２】
貯蔵室の前面開口を左右二枚の観音開き式扉にて開閉する方式とし、前記観音開き式扉を開いた状態で、前記貯蔵室の前面開口部に縦仕切り体が存在しない構成でもって前記観音開き式扉の対向部分からの冷気漏れを防止する冷蔵庫であって、前記貯蔵室の一部が前記観音開き式扉の扉本体相互の隙間Ｔに対応して配置した区画壁によって左右の貯蔵室に区画され、この左右の貯蔵室の一方又は双方に引き出し式収納容器が収納され、前記区画壁の左右幅は前記隙間Ｔよりも大きく、前記区画壁の前面には冷蔵庫の操作部を配置したことを特徴とする冷蔵庫。
【請求項３】
冷蔵室の前面開口を左右二枚の観音開き式扉にて開閉する方式とし、前記観音開き式扉を開いた状態で、前記冷蔵室の前面開口部に縦仕切り体が存在しない構成でもって前記観音開き式扉の対向部分からの冷気漏れを防止する冷蔵庫であって、前記冷蔵室内は複数段の棚によって上下に物品収納区域が分割形成され、最下部の物品収納区域は前記観音開き式扉の扉本体相互の隙間Ｔに対応して配置した区画壁によってそれぞれ異なる貯蔵室として利用するように左右に区画され、この区画された一方の貯蔵室が特定低温室であり、他方の貯蔵室が自動製氷機への給水タンクの収納室であり、前記特定低温室には、物品収納容器がレールに前後方向に引き出し自在に支持され、前記区画壁の左右幅は前記隙間Ｔよりも大きく、前記区画壁の前面には冷蔵庫の操作部を配置したことを特徴とする冷蔵庫。
【請求項４】
冷蔵室の前面開口を左右二枚の観音開き式扉にて開閉する方式とし、前記観音開き式扉を開いた状態で、前記冷蔵室の前面開口部に縦仕切り体が存在しない構成でもって前記観音開き式扉の対向部分からの冷気漏れを防止する冷蔵庫であって、前記冷蔵室内は複数段の棚によって上下に物品収納区域が分割形成され、最下部の物品収納区域は前記観音開き式扉の扉本体相互の隙間Ｔに対応して配置した区画壁によってそれぞれ異なる貯蔵室として利用するように左右に区画され、この区画された一方の貯蔵室が特定低温室であり、他方の貯蔵室が自動製氷機への給水タンクと小物用収納容器の収納室であり、前記特定低温室には、低温貯蔵物品の収納容器がレールに前後方向に引き出し自在に支持され、前記区画壁の左右幅は前記隙間Ｔよりも大きく、前記区画壁の前面には冷蔵庫の操作部を配置したことを特徴とする冷蔵庫。
【発明の詳細な説明】
【技術分野】
【０００１】
本発明は、貯蔵室の前面開口を観音開き式扉にて開閉する冷蔵庫に関する。
【背景技術】
【０００２】
貯蔵室の前面開口を左右二枚の扉にて開閉する観音開き式扉方式の冷蔵庫において、左右二枚扉の一方の扉の非枢軸支持側（ヒンジによる軸支持側の反対側）の裏面端部に沿って、貯蔵室の前面開口の上下に渡る長さの仕切り体を回動自在に上下方向に取り付けたものがある（特許文献１）。これは、左右二枚扉が閉じた状態では、仕切り体が貯蔵室の前面開口の上下に渡る位置へ回動して、貯蔵室の前面開口を上下に仕切る仕切り体となって、左右二枚扉の裏面周縁に配置したパッキン（ガスケットともいう）が密着して、左右二枚扉の対向部分からの冷気漏洩を防止したシール状態となる。また、仕切り体を取り付けた一方の扉が開いた状態又は左右二枚扉が開いた状態では、仕切り体は前記一方の扉の裏面端部に沿った収納位置へ回動して、貯蔵室の前面開口から離れ、貯蔵室の前面開口を上下に仕切る仕切り体が存在しない状態とする。
【０００３】
また、特許文献１には、冷蔵庫本体内に上下配置の複数の貯蔵室に区画し、最上部の貯蔵室を冷蔵室として、この冷蔵室の前面開口を左右二枚の扉にて開閉する観音開き式扉方式とした場合、左右二枚扉の非枢軸支持側（ヒンジによる軸支持側の反対側）の対向部分に沿って、左右二枚扉の上下に渡る長さにマグネット入りガスケットを取り付け、左右二枚扉が閉じた状態では、このマグネット同士の吸引によってガスケット相互が密着して、左右二枚扉の対向部分からの冷気漏洩を防止する技術が開示されている。
【０００４】
このように、貯蔵室の前面開口を左右二枚扉にて開閉する観音開き式扉方式において、左右二枚扉の対向部分からの冷気漏洩を防止する方法として、扉を閉じたとき貯蔵室の前面に位置して扉のガスケットの密着面となり、扉を開くことによって扉と共に動く仕切り体を、観音開き式扉の一方の扉の非枢軸支持側（ヒンジによる軸支持側の反対側）に回動自在に取り付けた可動仕切り体方式と、左右二枚扉の非枢軸支持側（ヒンジによる軸支持側の反対側）の対向部分に沿って取り付けたガスケット相互の密着によるガスケット方式があるが、発明者はここに、このように左右二枚扉の対向部分からの冷気漏洩を防止したシール構造の冷蔵庫において、貯蔵室内の最下部に引き出し式容器を収納する形態を提案する。
【０００５】
発明者が提案する冷蔵庫７０の一つを図７及び図８に示す。図７は冷蔵庫７０の正面図であり、図８は冷蔵庫７０の冷蔵室扉を開いた正面図である。この冷蔵庫７０は、前面開口の冷蔵庫本体７１内には、最上部に冷蔵室７２、その下方中間部に冷凍室７３が設けられ、その下方で最下部に野菜室７４が配置された構成である。そして、冷蔵室７２の前面開口は、それぞれ冷蔵庫本体７１の側部に上下のヒンジ装置Ｈにて枢軸支持されて、横方向に回動する左右二枚の観音開き式冷蔵室扉７２Ａ、７２Ｂにて開閉される。冷凍室７３の前面開口は、冷凍室７３内に設けた左右のレールとローラによる支持装置によって、前後方向へ引き出し可能に支持した容器と共に前方へ引き出される引き出し式扉７３Ａにて閉塞されている。野菜室７４の前面開口は、野菜室７４内に設けた左右のレールとローラによる支持装置によって前後方向へ引き出し可能に支持した野菜容器と共に前方へ引き出される引き出し式扉７４Ａにて閉塞されている。
【０００６】
冷蔵室７２内は、冷蔵室７２の側壁に形成した棚受けに載置した複数段の棚７５によって、上下に物品収納区域が分割形成され、最下部の物品収納区域は、それぞれ異なる特定貯蔵室として利用するために、板状の区画壁７６によって左右の特定貯蔵室７７、７８に仕切られている。仕切った右側の貯蔵室が特定低温室７８であり、左側の貯蔵室７７には冷凍室７３内に設置した自動製氷機（図示せず）への給水タンク７９と小物用収納容器８０が引き出し自在に収納される。特定低温室７８には、低温貯蔵物品を収納するために比較的左右幅の大きい収納容器８１が、特定低温室７８の左右両側部に設けた前後水平方向のレール８４、８４に前後方向に引き出し自在に支持されている。特定低温室７８は、約１℃のチルド室や、０℃よりも低く食品の凍結温度よりも高い約０〜−１℃の氷温室等である。観音開き式冷蔵室扉７２Ａ、７２Ｂの内側面には、左右両側壁８３間に支持した複数段のドアポケット８２が設けられ、これらのドアポケット８２には、卵、バター、紙パック入り飲料、ペットボトル入り飲料等を収納する。８５は冷蔵庫７０の温度設定などを行う操作部であり、観音開き式扉７２Ａ、７２Ｂの一方の扉の前面に配置されている。
【０００７】
図７及び図８に示す冷蔵庫において、区画壁７６によって左右に仕切られた特定貯蔵室７７、７８のうち、右側の特定低温室７８に設けた収納容器８１は、その前方に位置する冷蔵室扉７２Ｂの左右幅よりも左右幅が大きいため、この収納容器８１を引き出す場合には、冷蔵室扉７２Ａ、７２Ｂの双方を開かなければならず面倒である。
【０００８】
また、区画壁７６の位置を図７及び図８に示す位置ではなく、観音開き式扉７２Ａ、７２Ｂが閉じられたときに相対する対向部分Ｍに対応した位置に区画壁７６を配置する場合において、例えば、その右側の特定貯蔵室にその略左右幅に渡る幅の収納容器を、図７及び図８と同様にレールに載置し、この収納容器に対向した側の冷蔵室扉（例えば７２Ｂ）を開いてこの収納容器を引き出したとき、この収納容器の支持構造における融通性によってこの収納容器は左右に振れて、閉じている側の冷蔵室扉（例えば７２Ａ）の内側面に衝突し、スムースな引き出しができ難い状況となる。このような衝突を回避するためには、特定貯蔵室７７、７８に収納される収納容器の左右幅を衝突しない程度に小さくする方法が考えられる。
【特許文献１】特開２００２−２０６８５４号公報。
【発明の開示】
【発明が解決しようとする課題】
【０００９】
上記のように、観音開き式扉７２Ａ、７２Ｂが閉じられたときに相対する対向部分Ｍに対応した位置に区画壁７６を配置する場合において、引き出される収納容器が扉と衝突するのを回避する程度に収納容器の左右幅を小さくする場合、収納容器を区画壁７６のレールに載置する構成を採用するためには、区画壁７６の左右幅が大きくなり、区画壁７６が占める領域が広くなり、物品貯蔵の点からすれば、ここが無駄な領域となる。本発明は、このような点に鑑みて、観音開き式扉の開閉とこの収納容器の引き出し操作が円滑に行なわれる構成とし、この区画壁７６が占める領域に冷蔵庫の操作部を配置することにより、区画壁７６が占める領域の有効利用を図ることができる冷蔵庫を提供するものである。
【課題を解決するための手段】
【００１０】
第１の発明は、貯蔵室の前面開口を左右二枚の観音開き式扉にて開閉する方式とし、前記観音開き式扉を開いた状態で、前記貯蔵室の前面開口部に縦仕切り体が存在しない構成でもって前記観音開き式扉の対向部分からの冷気漏洩を防止する冷蔵庫であって、前記貯蔵室の一部が前記観音開き式扉の対向部分に対応配置した区画壁によって左右の貯蔵室に区画され、前記区画壁の前面には冷蔵庫の操作部を配置したことを特徴とする。
【００１１】
第２の発明は、貯蔵室の前面開口を左右二枚の観音開き式扉にて開閉する方式とし、前記観音開き式扉を開いた状態で、前記貯蔵室の前面開口部に縦仕切り体が存在しない構成でもって前記観音開き式扉の対向部分からの冷気漏れを防止する冷蔵庫であって、前記貯蔵室の一部が前記観音開き式扉の扉本体相互の隙間Ｔに対応して配置した区画壁によって左右の貯蔵室に区画され、この左右の貯蔵室の一方又は双方に引き出し式収納容器が収納され、前記区画壁の左右幅は前記隙間Ｔよりも大きく、前記区画壁の前面には冷蔵庫の操作部を配置したことを特徴とする。
【００１２】
第３の発明は、冷蔵室の前面開口を左右二枚の観音開き式扉にて開閉する方式とし、前記観音開き式扉を開いた状態で、前記冷蔵室の前面開口部に縦仕切り体が存在しない構成でもって前記観音開き式扉の対向部分からの冷気漏れを防止する冷蔵庫であって、前記冷蔵室内は複数段の棚によって上下に物品収納区域が分割形成され、最下部の物品収納区域は前記観音開き式扉の扉本体相互の隙間Ｔに対応して配置した区画壁によってそれぞれ異なる貯蔵室として利用するように左右に区画され、この区画された一方の貯蔵室が特定低温室であり、他方の貯蔵室が自動製氷機への給水タンクの収納室であり、前記特定低温室には、物品収納容器がレールに前後方向に引き出し自在に支持され、前記区画壁の左右幅は前記隙間Ｔよりも大きく、前記区画壁の前面には冷蔵庫の操作部を配置したことを特徴とする。
【００１３】
第４の発明は、冷蔵室の前面開口を左右二枚の観音開き式扉にて開閉する方式とし、前記観音開き式扉を開いた状態で、前記冷蔵室の前面開口部に縦仕切り体が存在しない構成でもって前記観音開き式扉の対向部分からの冷気漏れを防止する冷蔵庫であって、前記冷蔵室内は複数段の棚によって上下に物品収納区域が分割形成され、最下部の物品収納区域は前記観音開き式扉の扉本体相互の隙間Ｔに対応して配置した区画壁によってそれぞれ異なる貯蔵室として利用するように左右に区画され、この区画された一方の貯蔵室が特定低温室であり、他方の貯蔵室が自動製氷機への給水タンクと小物用収納容器の収納室であり、前記特定低温室には、低温貯蔵物品の収納容器がレールに前後方向に引き出し自在に支持され、前記区画壁の左右幅は前記隙間Ｔよりも大きく、前記区画壁の前面には冷蔵庫の操作部を配置したことを特徴とする。
【発明の効果】
【００１４】
第１の発明は、扉を閉じたとき冷蔵室の前面に位置して扉のガスケットの密着面となる仕切り体を観音開き式扉の一方の側部に取り付けた可動仕切り体方式と、扉を閉じたとき相互に密着するガスケットを観音開き式扉の対向部分にそれぞれ設けたガスケット方式のいずれにおいても、区画壁の位置は観音開き式扉の対向部分によって規定されるが、一方の扉を閉じた状態で他方の扉に対応した収納陽気の引き出しが容易となる。また、区画壁の前面には冷蔵庫の操作部が配置されるため、左右幅を広くした区画壁の有効利用ができることとなる。
【００１５】
第２の発明は、区画壁の左右幅は観音開き式扉相互の隙間Ｔよりも大きく、そのために左右の貯蔵室の左右幅は制限されるが、左右の貯蔵室の一方又は双方に収納された引き出し式容器を引き出す場合にも、閉じている扉には衝突なくその引き出しが行えるようになる。また、左右幅が大きくなった区画壁には冷蔵庫の操作部が配置されるため、この区画壁が占める領域の有効利用を図ることができるものである。
【００１６】
第３の発明は、複数段の棚によって上下に分割形成された冷蔵室内の最下部の物品収納区域を区画壁によって左右の貯蔵室に区画され、この区画された一方の貯蔵室を特定低温室とし、他方の貯蔵室を自動製氷機への給水タンクの収納室として、上部の冷蔵室と区別した使用に適すると共に、特定低温室内の物品収納容器を引き出した際にも、閉じている扉には衝突なくその引き出しが行えるようになる。また、左右幅が大きくなった区画壁には冷蔵庫の操作部が配置されるため、この区画壁が占める領域の有効利用を図ることができるものである。
【００１７】
第４の発明は、複数段の棚によって上下に分割形成された冷蔵室内の最下部の物品収納区域を区画壁によって左右の貯蔵室に区画され、この区画された一方の貯蔵室を特定低温室とし、他方の貯蔵室を自動製氷機への給水タンクと小物用収納容器の収納室として、上部の冷蔵室と区別した使用に適すると共に、特定低温室内の物品収納容器を引き出した際にも、閉じている扉には衝突なくその引き出しが行えるようになる。また、左右幅が大きくなった区画壁には冷蔵庫の操作部が配置されるため、この区画壁が占める領域の有効利用を図ることができるものである。
【発明を実施するための最良の形態】
【００１８】
本発明の冷蔵庫は、貯蔵室の前面開口を左右二枚の観音開き式扉にて開閉する方式とし、前記観音開き式扉を開いた状態で、前記貯蔵室の前面開口部に縦仕切り体が存在しない構成でもって前記観音開き式扉の対向部分からの冷気漏洩を防止する冷蔵庫であって、前記貯蔵室の一部が前記観音開き式扉の対向部分に対応配置した区画壁によって左右の貯蔵室に区画され、前記区画壁の前面には冷蔵庫の操作部を配置した構成であり、本発明の実施例を以下に記載する。
【実施例１】
【００１９】
次に、本発明の実施の形態について説明する。図１は本発明に係る冷蔵庫の正面図、図２は本発明に係る冷蔵庫の冷蔵室扉を開いた正面図、図３は本発明に係る冷蔵庫の冷蔵室の最下部の物品収納区域の横断平面図である。
【００２０】
次に、本発明の実施の形態について説明する。１は本発明の冷却貯蔵庫の一つである冷蔵庫であり、前面開口の冷蔵庫本体２内を区画して複数の貯蔵室を形成し、これら各貯蔵室の前面は扉で開閉できる構成である。冷蔵庫本体２は、外箱（外壁板）２Ａと内箱（内壁板）２Ｂとの間に発泡断熱材２Ｃを充填した断熱構造である。冷蔵庫本体２内には、最上部の貯蔵室として冷蔵室３、その下方中間部に冷凍室５が設けられ、その下方で最下部に野菜室４が配置された構成である。冷蔵室３の前面開口は、それぞれ冷蔵庫本体２の左側部と右側部に上下のヒンジ装置Ｈにて枢軸支持されて、横方向に回動する左右二枚の観音開き式冷蔵室扉１０Ａ、１０Ｂにて開閉される。冷凍室５の前面開口は、冷凍室５内に設けた左右のレールとローラによる支持装置によって、前後方向へ引き出し可能に支持した容器と共に前方へ引き出される引き出し式扉１２にて閉塞されている。野菜室４の前面開口は、野菜室４内に設けた左右のレールとローラによる支持装置によって前後方向へ引き出し可能に支持した野菜容器と共に前方へ引き出される引き出し式扉１１にて閉塞されている。
【００２１】
冷蔵室３内は、冷蔵室３の側壁と背壁８に形成した棚受けに載置した複数段の平板状の棚６によって、上下に物品収納区域が分割形成され、最下部の物品収納区域は、特定貯蔵室として利用するために、区画壁７によって左右の特定貯蔵室７Ａ、７Ｂに仕切られている。このように仕切った右側の貯蔵室７Ｂが特定低温室であり、左側の貯蔵室７Ａは上部の物品収納区域と略同じ温度に冷却される区分収納室である。特定低温室７Ｂは、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であり、食品を特定の低温度領域内で冷却保存するためのものであり、上部の物品収納区域に比して厳しい温度制御が要求される。
【００２２】
実施例１には、左右の貯蔵室７Ａ、７Ｂの一方に引き出し式容器１５を収納した構成の一つの形態を示しており、特定貯蔵室７Ａには、冷凍室５内に設置した自動製氷機（図示せず）へ供給するための製氷用水を溜める給水タンク９と、小物用収納容器１３が引き出し自在に収納される。特定低温室７Ｂには、低温貯蔵物品の収納容器１５が、特定低温室７Ｂの左右両側部に設けた前後水平方向のレール１４、１４に前後方向に引き出し自在に支持されている。収納容器１５は、その左右フランジ１５Ａをレール１４、１４に載置し、レール１４、１４上を前後にスライドし易いように左右に融通性をもった載置である。収納容器１５は上面開口容器であり、特定低温室７Ｂの前面上部には、収納容器１５の引き出しに伴って収納容器１５の左右側壁によって上方へ回動するカバー１６が軸支されている。貯蔵室７Ａの前面上部には、手で上方へ回動可能なカバー１７が軸支されている。
【００２３】
図３に示すように、冷蔵室扉１０Ａ、１０Ｂは、それぞれ外板（外殻）Ｑと内板（内殻）Ｒとの間に断熱材Ｓが配置された矩形状の断熱構造の扉本体１０Ａ１、１０Ｂ１を主体とし、冷蔵室扉１０Ａ、１０Ｂの内側面には、それぞれ内板（内殻）Ｒと一体に左右両突壁１８が縦方向に形成されている。また、左右両突壁１８を取り囲むように冷蔵室扉１０Ａ、１０Ｂの内側面には、それぞれガスケット２０が扉本体１０Ａ１、１０Ｂ１の矩形状に沿って環状に取り付けられている。ガスケット２０は、冷蔵室扉１０Ａの上辺、下辺、左辺と、冷蔵室扉１０Ｂの上辺、下辺、右辺が、冷蔵庫本体２の前面周縁に吸着するマグネット入りである。左右両突壁１８間には複数段のドアポケット１９が設けられ、これらのドアポケット１９には、卵、バター、紙パック入り飲料、ペットボトル入り飲料等が収納可能である。
【００２４】
また、観音開き式の冷蔵室扉１０Ａ、１０Ｂを開いた状態で、冷蔵室３の前面開口部に縦仕切り体が存在しない構成でもって、冷蔵室扉１０Ａ、１０Ｂの対向部分Ｍからの冷気漏洩を防止する構成として、図３には、冷蔵室扉１０Ａ、１０Ｂの対向部分Ｍに生じる扉本体１０Ａ１、１０Ｂ１相互間の隙間Ｈからの冷気漏れを、それぞれ冷蔵室扉１０Ａ、１０Ｂに取り付けたガスケット相互の密着によって行うガスケット方式を示している。即ち、冷蔵室扉１０Ａ、１０Ｂが閉じられたときに相対する対向部分Ｍからの冷気漏れを防止するために、冷蔵室扉１０Ａ、１０Ｂのそれぞれのガスケット２０の非枢軸支持側（ヒンジ装置Ｈによる軸支持側の反対側）の辺２０Ａは、相互に密着する部分２０Ｂを形成しており、冷蔵室扉１０Ａ、１０Ｂが閉じた状態で、この部分２０Ｂが内蔵したマグネットの吸着によって相互に密着し、冷蔵室扉１０Ａ、１０Ｂが閉じられたときに相対する対向部分Ｍからの冷気漏れを防止する。
【００２５】
冷蔵室扉１０Ａを閉じた状態で冷蔵室扉１０Ｂを開いて、収納容器１５を前方へ引き出したとき、収納容器１５の左端部が冷蔵室扉１０Ａに衝突しないようにするために、冷蔵室扉１０Ａ、１０Ｂ相互の対向部分Ｍに対応して区画壁７が配置され、冷蔵室扉１０Ａ、１０Ｂの扉本体１０Ａ１、１０Ｂ１相互間の隙間Ｔよりも区画壁７の左右幅Ｋを十分大きくしている。これによって、特定貯蔵室７Ｂの左右幅が狭められ、実質的に収納容器１５の左右幅を小さく制限している。このため、収納容器１５が、特定低温室７Ｂの左右両側部に設けたレール１４、１４上を左右に振れつつ前方に引き出されても、収納容器１５の左端部が冷蔵室扉１０Ａに衝突しない状態となる。図示の実施例では、冷蔵室扉１０Ａ、１０Ｂ相互の隙間Ｔの中央を通る中心線Ｐ上に区画壁７の中心を合わせて配置した構成である。また、このような構成によって、冷蔵室扉１０Ｂを閉じた状態で冷蔵室扉１０Ａを開いて、特定貯蔵室７Ａに収納した給水タンク９と小物用収納容器１３の引き出しを行っても、同様に冷蔵室扉１０Ｂに衝突することなく円滑にその操作ができる。
【００２６】
本発明では、このように左右幅Ｋを大きくした区画壁７を有効利用するために、この区画壁７の前面に、冷蔵庫１の温度設定や種々の機能の設定や選択等を行うことができる操作部２２を設けている。操作部２２の後部にはその操作によって動作するスイッチ部などの動作部２３が、区画壁７中に収納され、収納容器１３、１５等との衝突による外的障害から守り、また水が掛からないように防水構成を採っている。
【００２７】
上記の各図に示した冷蔵庫１の左右の冷蔵室扉１０Ａ、１０Ｂは、左右対称形態とするために、左右幅が同寸法の扉を左右対称配置としているが、これに限らず、左右の冷蔵室扉１０Ａ、１０Ｂは、左右非対称形態とし、上記同様に、冷蔵室扉１０Ａ、１０Ｂが閉じられたとき相対する対向部分Ｍに対応して区画壁７を配置し、冷蔵室扉１０Ａ、１０Ｂの扉本体１０Ａ１、１０Ｂ１相互の隙間Ｔよりも区画壁７の左右幅Ｋを十分大きくし、この区画壁７の前面に、冷蔵庫１の温度設定や種々の機能の設定や選択等を行うことができる操作部２２を設けるようにすれば、上記同様の作用と効果を得ることができる。
【００２８】
なお、上記では、冷蔵室３の最下部の物品収納区域を区画壁７によって左右の特定貯蔵室７Ａ、７Ｂに区画したが、上部の物品収納区域を区画壁７によって左右の特定貯蔵室７Ａ、７Ｂに区画する場合も同様の作用と効果を得ることができる。また、冷蔵庫１内の冷却に関しては、蒸発器（冷却器）２７で冷却した冷気を送風機（図示せず）によって冷蔵室３、野菜室４、及び冷凍室５へ循環させる冷気循環経路の形成によって、各室を適温に冷却することができる。
【実施例２】
【００２９】
本発明では、図１及び図２の冷蔵庫に関し、観音開き式の冷蔵室扉１０Ａ、１０Ｂの対向部分Ｍの冷気シール構造のもう一つの実施例を図４と図５に示す。観音開き式の冷蔵室扉１０Ａ、１０Ｂを開いた状態で、冷蔵室３の前面開口部に縦仕切り体が存在しない構成でもって、冷蔵室扉１０Ａ、１０Ｂの対向部分Ｍからの冷気漏洩を防止する構成として、図４と図５には、可動仕切り体方式を採用した形態を示す。図４は本発明に係る冷蔵庫の観音開き式冷蔵室扉１０Ａ、１０Ｂの一方の扉に可動仕切り体３０を採用した形態を示す横断平面図、図５は図４に係る冷蔵庫の冷蔵室扉を開いた正面図である。
【００３０】
図４と図５のものは、冷蔵室扉１０Ａ、１０Ｂが閉じられたとき、冷蔵室扉１０Ａ、１０Ｂの対向部分Ｍに生じる扉本体１０Ａ１、１０Ｂ１相互間の隙間Ｔからの冷気漏れを防止する構造として、冷蔵室扉１０Ａ、１０Ｂが閉じた状態で冷蔵室３の前面開口部に縦方向の可動仕切り体３０が位置し、冷蔵室扉１０Ａ、１０Ｂを開いた状態で、冷蔵室３の前面開口部に縦方向の可動仕切り体３０が存在しない構成を示している。図２〜図３と同一符号部分は上記同様の構成及び機能の部分であるため、実施例１の説明を援用するものとする。図４と図５において、冷蔵室扉１０Ａ、１０Ｂの内側面には、図２〜図３同様に、左右両突壁１８を取り囲むようにマグネット入りガスケット２０が、矩形状の冷蔵室扉１０Ａ、１０Ｂの内側面の周縁部に沿って環状に取り付けられている。冷蔵室扉１０Ａの非枢軸支持側（ヒンジ装置Ｈによる軸支持側の反対側）において、突壁１８の外側面とガスケット２０の内側との領域部分に、可動仕切り体３０が、上下を軸支持部３１にて回動可能な状態で冷蔵室扉１０Ａに保持されている。また、図５に示すように、冷蔵室３の前面開口部の上下部には、ガイド部材３２Ａ、３２Ｂが取り付けられている。
【００３１】
この構成において、冷蔵室扉１０Ａが開いた状態では、可動仕切り体３０は、軸支持部３１に取り付けたバネ（図示せず）にて附勢され、図５の実線位置及び図４に二点鎖線で示す３０Ａのように、冷蔵室扉１０Ａの突壁１８の外面に沿って収納された状態である。そして、冷蔵室扉１０Ａが閉じる方向へ移動するとき、可動仕切り体３０の上下端部に設けた突状ガイド部３３Ａ、３３Ｂが、ガイド部材３２Ａ、３２Ｂのガイド溝部（図示せず）に沿って移動することによって前記バネに抗して可動仕切り体３０が回動する。そして、冷蔵室扉１０Ａが冷蔵室３の前面開口部を閉じた状態では、可動仕切り体３０は、図４に実線で示すように、冷蔵室３の前面開口部の上下の前面と同一面を形成するように、冷蔵室３の前面開口部の上下に渡る状態となり、冷蔵室３の前面開口部を左右に仕切る縦仕切り部を形成する。これによって冷蔵室３の前面開口部には、冷蔵室扉１０Ａ、１０Ｂのそれぞれのガスケット２０に対面した上下及び左右の一連の四辺形状をなす左右の間口がそれぞれ形成され、これらガスケット２０のマグネットが、この一連の四辺形をなす上下及び左右の前面間口に吸着してそれぞれのガスケット２０が密着する。
【００３２】
また、閉じた冷蔵室扉１０Ａを開くことによって、可動仕切り体３０は、前記バネ力を受けつつ、可動仕切り体３０の上下端部に設けた突状ガイド部３３Ａ、３３Ｂが、ガイド部材３２Ａ、３２Ｂのガイド溝部に沿って移動することにより、可動仕切り体３０が徐々に回動して、最終的には、図５の実線位置及び図４に二点鎖線で示す３０Ａのように、冷蔵室扉１０Ａの突壁１８の外面に沿って収納された状態となる。
【００３３】
このような構成において、冷蔵室扉１０Ａを閉じた状態で冷蔵室扉１０Ｂを開いて、収納容器１５を前方へ引き出したとき、収納容器１５の左端部が冷蔵室扉１０Ａに衝突しないようにするために、実施例１同様に、冷蔵室扉１０Ａ、１０Ｂ相互の対向部分Ｍに対応して区画壁７が配置され、冷蔵室扉１０Ａ、１０Ｂの扉本体１０Ａ１、１０Ｂ１相互間の隙間Ｔよりも区画壁７の左右幅Ｋを十分大きくしている。そして、このように左右幅Ｋを大きくした区画壁７を有効利用するために、この区画壁７の前面に、冷蔵庫１の温度設定や種々の機能の設定や選択等を行うことができる操作部２２を設けている。これによって、実施例１同様の機能並びに作用効果を発揮することができ、左右の貯蔵室７Ａ、７Ｂの一方に収納された引き出し式容器１５を引き出す場合にも、閉じている扉には衝突なくその引き出しが行えるようになる。また、左右幅が大きくなった区画壁７は冷蔵庫１の操作部２２が配置されるため、この区画壁７が占める領域の有効利用を図ることができるものである。
【実施例３】
【００３４】
本発明では、もう一つの実施例として、図１〜図２に示す冷蔵庫１の構成のうち、冷蔵室３の最下部の物品収納区域の構成が異なる形態を図６に示す。図６は本発明に係る冷蔵庫１の冷蔵室３の最下部の物品収納区域の他の実施形態を示す横断平面図である。図６において、冷蔵室３の最下部の物品収納区域は、区画壁７によって左右の特定貯蔵室７Ａ、７Ｂに仕切られ、左右の貯蔵室７Ａ、７Ｂの双方に引き出し式容器２５と１５を収納した構成の一つの形態を示しており、特定貯蔵室７Ａには、収納容器２５が特定低温室７Ａの左右両側部に設けた前後水平方向のレール２６、２６に前後方向に引き出し自在に支持された構成を示している。なお、冷蔵庫１において図１〜図３と同一符号部分は上記同様の構成及び機能の部分であるため、実施例１の説明を援用するものとする。
【００３５】
この場合、冷蔵室扉１０Ａを閉じた状態で冷蔵室扉１０Ｂを開いて、収納容器１５を前方へ引き出したとき、収納容器１５の左端部が冷蔵室扉１０Ａに衝突しないようにするためと、冷蔵室扉１０Ｂを閉じた状態で冷蔵室扉１０Ａを開いて、収納容器２５を前方へ引き出したとき、収納容器２５の右端部が冷蔵室扉１０Ｂに衝突しないようにするために、実施例１同様に、冷蔵室扉１０Ａ、１０Ｂ相互の対向部分Ｍに対応して区画壁７が配置され、冷蔵室扉１０Ａ、１０Ｂの扉本体１０Ａ１、１０Ｂ１相互間の隙間Ｔよりも区画壁７の左右幅Ｋを十分大きくしている。そして、このように左右幅Ｋを大きくした区画壁７を有効利用するために、この区画壁７の前面に、冷蔵庫１の温度設定や種々の機能の設定や選択等を行うことができる操作部２２を設けている。
【００３６】
これによって、実施例１同様の機能並びに作用効果を発揮することができると共に、左右の貯蔵室７Ａ、７Ｂの双方に収納された引き出し式容器２５、１５のいずれか一方を引き出す場合にも、閉じている扉には衝突なくその引き出しが行えるようになる。また、左右幅が大きくなった区画壁７には冷蔵庫１の操作部２２が配置されるため、この区画壁７が占める領域の有効利用を図ることができるものである。なお、観音開き式の冷蔵室扉１０Ａ、１０Ｂの対向部分Ｍの冷気シール構造として、図４と図５に示すように、冷蔵室扉１０Ａ、１０Ｂの一方の扉に可動仕切り体３０を採用した可動仕切り体方式においても、同様である。
【産業上の利用可能性】
【００３７】
本発明の冷蔵庫１は、観音開き式の冷蔵室扉１０Ａ、１０Ｂを開いた状態で、冷蔵室３の前面開口部に縦仕切り体が存在しない構成であればよい。このため、冷蔵室扉１０Ａ、１０Ｂ相互の対向部分からの冷気漏洩を防止する構造として、図３、図６に示すように、ガスケット２０Ｂ同士の密着によるガスケット方式と、図４〜図５に示すように、冷蔵室扉１０Ａ、１０Ｂの一方に取り付けた可動仕切り体方式のいずれの方式でもよい。本発明に係る冷蔵庫は、冷蔵室、冷凍室の配置関係や、冷蔵室の構成は上記形態に限定されず、本発明の技術的範囲を逸脱しない限り、種々の形態の冷蔵庫に適用できるものである。
【図面の簡単な説明】
【００３８】
【図１】本発明に係る冷蔵庫の正面図である。（実施例１）
【図２】本発明に係る冷蔵庫の冷蔵室扉を開いた正面図である。（実施例１）
【図３】本発明に係る冷蔵庫の冷蔵室の最下部の物品収納区域の横断平面図である。（実施例１）
【図４】本発明に係る冷蔵庫の観音開き式扉の対向部分に可動仕切り体方式を採用した形態を示す横断平面図である。（実施例２）
【図５】図４に係る冷蔵庫の冷蔵室扉を開いた正面図である。（実施例２）
【図６】本発明に係る冷蔵庫の冷蔵室の最下部の物品収納区域の他の実施形態を示す横断平面図である。（実施例３）
【図７】背景技術の説明に係る冷蔵庫の正面図である。
【図８】背景技術の説明に係る冷蔵庫の冷蔵室扉を開いた正面図である。
【符号の説明】
【００３９】
１・・・・冷蔵庫
２・・・・冷蔵庫本体
３・・・・冷蔵室
４・・・・野菜室
５・・・・冷凍室
６・・・・棚
７・・・・区画壁
９・・・・給水タンク
１０Ａ、１０Ｂ・・・冷蔵室扉
１０Ａ１、１０Ｂ１・・扉本体
１３・・・小物用収納容器
１４・・・左右レール
１５・・・収納容器
１５Ａ・・フランジ
２０・・・ガスケット
２２・・・操作部
２３・・・制御部
２５・・・収納容器
２６・・・左右レール
３０・・・可動仕切り体
【図１】
2007024405.tif 000003
【図２】
2007024405.tif 000004
【図３】
2007024405.tif 000005
【図４】
2007024405.tif 000006
【図５】
2007024405.tif 000007
【図６】
2007024405.tif 000008
【図７】
2007024405.tif 000009
【図８】
2007024405.tif 000010